(57)【特許請求の範囲】
【請求項１】
脚支柱の上端に固定した支持ベース、人が腰掛ける座、着座した人がもたれかかり得る背もたれ、前記背もたれが取付けられていると共に前記支持ベースに後傾動可能に取り付けられた揺動フレーム、前記揺動フレームの後傾動を支持するばね、肘支柱を備えた肘掛け装置、を備えており、前記座は、背もたれと連動して後退しつつ後傾するように前記支持ベースと揺動フレームとに取付けられている、
という椅子であって、
前記揺動フレームは、前記支持ベースの左右外側に広がった羽根部を備えており、この揺動フレームの羽根部に、着座した人の腰を包むようなシェル状の腰部アウター部材が下方から重なった状態で固定されていると共に、前記肘支柱を固定するための雌ねじが設けられている一方、前記肘支柱の下端に設けた取り付け部と腰部アウター部材とには、前記揺動フレームの羽根部に設けた雌ねじにねじ込み得るボルトの挿通穴を設けられており、腰部アウター部材を介して肘支柱の取付け部が前記ボルトで揺動フレームの羽根部に固定されている、
ロッキング椅子。
【請求項２】
前記肘支柱の取り付け部と前記腰部アウター部材との間に合成樹脂製のスペーサを介在させており、このスペースにも前記ボルトが貫通している、
請求項１に記載したロッキング椅子。
【発明の詳細な説明】
【０００１】
【発明の属する技術分野】
本発明は、肘掛け装置を取り付けているロッキング椅子に関するものである。
【０００２】
【従来の技術・発明が解決しようとする課題】
ロッキング椅子に肘掛け装置を設ける場合、肘掛け装置を座部に取付ける場合と背もたれに取付ける場合とに大別される。
【０００３】
前者のように座部に取付ける場合は、肘掛け装置は、肘支柱の上端に肘当てを取り付けた構造になっており、肘支柱は一般に座部にねじ止めしている。
【０００４】
そして、このタイプの肘掛け装置は、肘当てにかかった荷重は肘支柱に対して軸方向から作用するため、強度的に優れている利点があるが、その反面、ロッキング時に人の腕が延びるため、身体のフィット感に欠ける場合がある。
【０００５】
他方、肘掛け装置を背もたれに取付ける後者のタイプでは、水平状に延びる肘当ての後部を背もたれの側部にねじ止め等によって固定していることが多い。
【０００６】
この後者のタイプでは、肘当ては背もたれと一緒に移動するため、ロッキング時のフィット感を高めることができる利点を有するが、その反面、肘当てには荷重がモーメントとして作用するため、強度的に弱いという問題があった。また、背もたれの構造が複雑化する点も問題であった。
【０００７】
本願発明は、このような現状を改善することを課題とするものである。
【０００８】
【課題を解決するための手段】
本願発明は、「脚支柱の上端に固定した支持ベース、人が腰掛ける座、着座した人がもたれかかり得る背もたれ、前記背もたれが取付けられていると共に前記支持ベースに後傾動可能に取り付けられた揺動フレーム、前記揺動フレームの後傾動を支持するばね、肘支柱を備えた肘掛け装置、を備えており、前記座は、背もたれと連動して後退しつつ後傾するように前記支持ベースと揺動フレームとに取付けられている」という椅子に関する。
【０００９】
そして、本願発明において、前記揺動フレームは、前記支持ベースの左右外側に広がった羽根部を備えており、この揺動フレームの羽根部に、着座した人の腰を包むようなシェル状の腰部アウター部材が下方から重なった状態で固定されていると共に、前記肘支柱を固定するための雌ねじが設けられている一方、前記肘支柱の下端に設けた取り付け部と腰部アウター部材とには、前記揺動フレームの羽根部に設けた雌ねじにねじ込み得るボルトの挿通穴を設けられており、腰部アウター部材を介して肘支柱の取付け部が前記ボルトで揺動フレームの羽根部に固定されている。
【００１０】
請求項２の発明では、請求項１に加えて、前記肘支柱の取り付け部と前記腰部アウター部材との間に合成樹脂製のスペーサを介在させており、このスペースにも前記ボルトが貫通している。
【００１１】
【００１２】
【００１３】
【発明の作用・効果】
本願発明の椅子は、肘掛け装置は背もたれと一緒に移動するため、ロッキング時のフィット感を向上できる。
【００１４】
また、肘掛け装置の肘支柱を揺動フレームに取付けるものであるため、肘当てにかかった荷重が肘支柱にモーメントとして作用することを防止又は抑制することができ、このため、肘当てが背もたれと一緒に動くものでありながら、肘掛け装置の支持強度を向上させることができる。
【００１５】
ところで、肘掛け装置はユーザーのオプションであることが多く、同一機種の椅子であっても、肘掛け装置を取付けたり取付けなかったりすることが多い。また、当初は取付けていても、ユーザーが後から取り外したい場合もある。
【００１６】
この点、本願発明では、肘支柱は腰部アウター部材の外側に配置するものであるため、肘掛け装置の取付け・取り外しを簡単に行うことができる。また、肘支柱と腰部アウター部材とは揺動フレームに一体に固定されるため、腰部アウター部材の取付け強度を向上することもできる。
【００１７】
更に、肘支柱は揺動フレームの羽根部に取付けられるため、肘掛けの取付け部が椅子の中央部に深く入り込むことはなく、このため、肘当てに掛かった荷重が肘支柱にモーメントとして作用することを抑制して、堅牢な構造とすることができる。
【００１８】
なお、本願発明の椅子は背もたれと座とが連動して動くシンクロ構造であるため、ロッキング時のいわゆるシャツめくれ（背ずれ）を防止又は抑制することができる。
【００１９】
請求項２のように構成すると、腰部アウター部材の外面が滑らかな円弧状等であっても、スペーサを腰部アウター部材の外面形状に合わせることにより、肘支柱をしっかりと固定することができる。また、腰部アウター部材の外面形状が異なる椅子が複数種類ある場合、スペーサのみを変えれば良いため、コストを抑制することができる。
【００２０】
なお、実施形態のようにスペーサとカバーと肘支柱とをユニット化すると、肘掛け装置の運搬や保管に際してスペーサやカバーの紛失を防止できる利点がある。
【００２１】
ところで、カバーに外力が作用する場合、一般に、外力は下向きに作用することが多い。このため、カバーは下向きに外れ易い。この点、実施形態のように構成すると、カバーは下向きには外れないため、カバーが外れてしまう事故を防止することができる。
【００２２】
【発明の実施形態】
次に、本発明の実施形態を図面に基づいて説明する。
【００２３】
【００２４】
図１は椅子の正面図、図２は椅子の右側面図、図３は縦断右側面図、図４は分離斜視図、図５は主要部材の破断斜視図であり、先ず、これらの図に基づいて椅子の基本構造を説明する。
【００２５】
(1).基本構造
椅子は、ガスシリンダ等の脚支柱１を備えた脚２と、脚支柱１の上端に固定した上向き開口の支持ベース３と、支持ベース３に上方から被さる上金具４と、上金具４の後方に配置した揺動フレーム５と、上金具４及び揺動フレーム５で支持した座６と、揺動フレーム５に取り付けた背もたれ７と、左右一対の肘掛け装置８とを備えている。
【００２６】
脚支柱１は脚カバー１ａで覆われており、支持ベース３は上向きに開口したベースカバー９で下方から覆われている。
【００２７】
図３や図４に示すように、支持ベース３の底面には第１ブラケット１０を固着しており、この第１ブラケッ１０と支持ベース３とに固定したブッシュ１１に脚支柱１の上端を嵌着している。また、支持ベース３における左右両側板の前部には前後長手の長穴１２が空いており、この長穴１２と上金具４の側板とに第１ピン１３を挿入している。
【００２８】
支持ベース３の下面には、正面視で下向きコ字状の第２ブラケット１４を固着している。一方、揺動フレーム５は、第２ブラケット１４を左右外側から挟む形態であり、揺動フレーム５の前端部を左右長手の第２ピン１５で第２ブラケット１４に取付けている。
【００２９】
また、揺動フレーム５と上金具４とは左右長手の第３ピン１６で連結されている。図４に示すように、揺動フレーム５には、左右方向に広がると共に正面視で傾斜状に延びる羽根部１７を設けており、この左右羽根部１７に、肘掛け装置の固定手段として請求項に記載した雌ねじ１７ａを３箇所ずつ形成している。
【００３０】
支持ベース３の後部には、揺動フレーム５を貫通した下向きのロッド１８が回転不能に取付けられており、このロッド１８の先端部に設けたばね受け１９でコイルばね２０を支持しており、コイルばね２０で揺動フレーム５を受けている。コイルばね２０はホルダー２１に嵌まっている。
【００３１】
(2).座の構造
図３に示すように、座６は、ポリプロピレンの合成樹脂からなる座用インナー部材２２と、その上面に張ったクッション２４とからなっており、座用インナー部材２２は、前部インナーシェル２２ａと後部インナーシェル２２ｂとに分割されている。クッション２４は前後インナーシェル２２ａ，２２ｂに跨がった状態に貼られている。
【００３２】
前部インナーシェル２２ａの前部には鉤状の前部キャッチ２３を設けて、これを上金具４の前端縁に前方から嵌め込んでいる。また、前部インナー部材２２ａには、上金具４の上面に載るスライダー部２５を一体に設けている。
【００３３】
後部インナーシェル２２ｂの後端には、揺動フレーム５の後端縁に嵌合する鉤状の後部キャッチ２６を設けている。図では省略しているが、前部インナーシェル２２ａは、第３ピン１６の両端にも係合している。
【００３４】
着座した人が背もたれ７にもたれ掛かると、揺動フレーム５がコイルばね２０に抗して第２ピン１５を支点として後傾動すると共に、上金具４及び座６は後退しつつ後傾する。揺動フレーム５がある程度後傾すると、上金具４の後退動及び後傾動は停止し、座６だけが後退動する。
【００３５】
前部インナーシェル２２ａと上金具４との相対動を許容するため、前部キャッチ２４と上金具４の前端面との間に隙間が空いている。図１及び図２に示すように、前部インナーシェル２２ａには、座用カバー（座用アウターシェル）２７を取り付けている。
【００３６】
(3).背もたれの構造
背もたれ７は、着座した人の腰を包むように平面視で前向き凹状に形成された腰部アウター部材（背受け部材）２８と、この腰部アウター部材２８の前面に取付けた背もたれ用インナー部材（芯板）２９（図３参照）とを備えている。背もたれ用インナー部材２９にはクッションを張っている。
【００３７】
背もたれ用インナー部材２９は、その下半部が腰部アウター部材２８に取付いており、背もたれ用インナー部材２９のうち腰部アウター部材２８から露出した部分の背面には背カバー（背アウター部材）３０を取付けている（図２参照）。腰部アウター部材２８や背もたれ用インナー部材２９、及び背カバー３０は、ポリプロピレンのような合成樹脂で製造されている。
【００３８】
図５に示すように、腰部アウター部材２８の下部２８ａは揺動フレーム５を囲うように樋状になっており、その底部には、ばね受けのホルダー２１が嵌まる穴３１が空いている。
【００３９】
また、腰部アウター部材２８には、平面視で座６の後部と重なる湾曲状段部２８ｂが形成されており、湾曲状段部２８ｂの上方には、人が手の平をを挿入できる程度の大きさの窓穴３３が空いている。
【００４０】
また、腰部アウター部材２８の前面のうち湾曲状段部２８ｂのやや上方には、水平状に長く延びる第１リブ３４が一体成形されており、前記揺動フレーム５における羽根部１７ａの上端縁をねじ（図示せず）で第１リブ３４に固定している。このため、図５に示すように、第１リブ３４にはねじ挿入穴３４ａが空いている。
【００４１】
また、図５に示すように、第１リブ３４の下方に水平状の第２リブ３５を設けており、この第２リブ３５にも揺動フレーム５をねじで締結しており、このため、下部リブ３５にもねじ挿入穴３６が空いている。
【００４２】
更に、腰部アウター部材２８の左右湾曲状段部２８ｂには、補強用の第３リブ群３７を形成していると共に、肘掛け装置７を取り付けるため、揺動フレーム５の羽根部１７に設けた雌ねじ穴１７ａに対応するボルト挿入穴４２が空いている。
【００４３】
更に、腰部アウター部材２８の上部には、補強用の第４リブ群３８と、背用インナー部材２９を取付けるための鉤状キャッチ３９を複数個設けている。また、腰部アウター部材２８の下端部には、揺動フレーム５を位置決めするための第５リブ４０を形成している。
【００４４】
図３に示すように、座６における後部インナーシェル２２ｂの後端には、第１リブ３４に下方から係合する補助キャッチ４１が形成されている。
【００４５】
(4).肘掛け装置の概要
次に、肘掛け装置８について、図１及び図２に加えて図６〜図１６を参照して説明する。図６は斜視図、図７は斜め方向から見た分離図である。
【００４６】
肘掛け装置８は、図１及び図２に示すように、金属パイプ製の肘支柱４３と、これに取付け下部機構部４４と、下部機構部４４に高さ調節自在及び上下首振り自在に取り付けた肘当て４５とを備えている。
【００４７】
(5).取付け部
図６や図７に示すように、肘支柱４３の下端部は斜め内向きに折曲げられて、これに取付け板４６を溶接しており、この取付け板４６を主要部材として取付け部４７が構成されている。更に、肘掛け装置８は、腰部アウター部材２８の湾曲状段部２８ｂに重なる合成樹脂製のスペーサ４８と、取付け部４７を覆うカバー４９とを備えている。
【００４８】
取付け部４７は図８及び図７でも示している。図８は取付け部４７の平面図、図８は取付け部４７の底面図であり、取付け板４６には、揺動フレーム４の雌ねじ穴１７ａに対応した３つのボルト挿通穴５０が空いている。
【００４９】
この場合、揺動フレーム５の羽根部１７と腰部アウター部材２８の湾曲状段部２８ｂとの傾斜が異なるため、取付け板５０のうちボルト挿通穴５０の箇所は傾斜させている。また、ボルト挿通穴５０との干渉を防止するため、肘支柱４３の先端部４３ａを潰し形成している。
【００５０】
(6).スペーサ
スペーサ４８の詳細は図１０で示している。図１０のうち (A)は平面図、 (B)は (A)の B-B視断面図、 (C)は裏返した状態の斜視図である。
【００５１】
図１０や図６、図７に示すように、スペーサ４８には多数のリブが形成されており、その上面は、腰部アウター部材２８の湾曲状段部２８ｂに密着するように上向き凹状に形成されている。また、３個のボルト挿通穴５１が空いている。
【００５２】
スペーサ４８のうち椅子の外側に向いた部分には、肘支柱４３が嵌まる外向き張り出し部５２が形成されている。この外向き張り出し部５２の前後側面には、肘支柱４３を挟んだ外側に開口した係合溝５３を形成している。
【００５３】
更に、スペーサ４８のうち中心を挟んで外向き張り出し部５２と反対側の部位には下向き鉤状の係合爪５４を形成している。更に、スペーサ４８の前後側面には、１つずつの下向き鉤部５５と、下向き鉤部５５を挟んで両側に位置した一対ずつの係合段部５６とを形成している。
【００５４】
(7).カバー
カバー４９は図１１で詳細に示している。図１１のうち (A)は平面図、 (B)は (A)の縦断正面図、 (C)は (A)の右側面図である。
【００５５】
カバー４９は、取付け部４７とスペーサ４８とをすっぽり覆うように形成されており、その一端部には、肘支柱４３との干渉を防止するための上向き開口のＵ形溝５７を形成している。
【００５６】
Ｕ形溝５７の前後両側縁には、前記スペーサ４８の外向き係合溝５３に嵌まる内向きリップ５７ａを形成している。
【００５７】
また、カバー４９の内部には、ボルト５８の頭の外径よりや大きい径の筒部５９を一体に設けている。更に、カバー４９の内部のうち前後両側の部位には、肘支柱４３と平行に延びる第１リブ６０を形成し、この第１リブ６０に、前記スペーサ４８の下向き鉤部５５に下方から嵌まる係合部６１を段落ちした状態に形成すると共に、スペーサ４８の段部５６に上方から重なり得る水平片６２を内向き突設している。
【００５８】
更に、カバー４９のうちその中心を挟んでＵ形溝５７と反対側の部位には、前記スペーサ４８の係合爪５４に係合する第２リブ６３を形成している。
【００５９】
(8).組み付け状態
図１２では、肘支柱４３とスペーサ４８とカバー４９との関係を平面視で示しており、この図に示すように、肘支柱４３の下部は平面視で斜め方向に延びている。そして、図１３に示すように、カバー４９の筒部５９から挿入したボルト５８を、取付け板４６とスペーサ４８及び腰部アウター部材２８を介して揺動フレーム５の羽根部１７にねじ込むことにより、肘掛け装置８が取付けられる。
【００６０】
図１０（Ｃ）から理解できるように、取付け板４６はスペーサ４８の裏面の凹所４８ａにきっちり嵌まって、横ずれ不能に保持されている。
【００６１】
そして、図１４〜図１６にも示すように、カバー４９の水平片６２がスペーサ４８の段部５６に重なることにより、カバー４９の下向き動が阻止され、カバー４９の係合部６１がスペーサ４８の下向き鉤部５５に下方から嵌まっていることにより、カバー４９の上向き動と前後動とが阻止されている。
【００６２】
更に、カバー４９の内向きリップ５７ａがスペーサ４８の係合溝５３に嵌まっていることにより、カバー４９は外向きに抜け不能に保持され、更に、カバー４９の第２リブ６３がスペーサ４８の係合爪５４に下方から係合していることにより、カバー４９の内向き移動が阻止されている。
【００６３】
そして、先ず取付け板４６にスペーサ４８を嵌め込んでから、カバー４９を、図１３においてやや左側に変位させた状態でスペーサ４８に重ね合わせることにより、水平片６２をスペーサ４８の段部５６に重ね合わせ、次いで図１３においてカバー４９を右側にずらすと、スペーサ４８の係合爪５４がその弾性変形によってカバー４９の第２リブ６３に係合し、これにより、スペーサ４８とカバー４９とは簡単にははずれない状態で取付け板４６に固定される。
【００６４】
このように、スペーサ４８とカバー４９と肘支柱４３とが簡単には分離しない状態にユニット化されるため、肘掛け装置８の運搬や保管に際して、スペーサ４８やカバー４９の紛失を防止できる。また、ボルト５８はカバー４９を貫通させるものであるため、取付けに際して一々カバー４９を取り外す必要はなく、よって、取付け作業の手間を軽減できる。
【００６５】
肘掛け装置８を椅子に取付けた状態でカバー４９を外す場合は、カバー４９を下向きにこじるようにしながら椅子の内側に向けて押せば良い。すると、スペーサ４８の係合爪５４が弾性変形してカバー４９の第２リブ６３から離脱すると共に、水平片６２と段部５６との重なりも解除されて、カバー４９を取り外すことができる。
【００６６】
カバー４９の筒部４９とボルト５８との間には、カバー４９の取り外しのためのスライドを許容する程度の間隔の隙間が空いている。
【００６７】
(9).  座の安全装置
図１７は座用インナー部材２２の分離図、図１８は前部インナー部材のストッパーと中間金具との関係を示す断面図であり、これらの図に示すように、前後インナー部材２２ａ，２２ｂは、その左右両端部に設けた下向き鉤爪６５と受け部６６との嵌め合わせによって連結されている（図３も参照）。
【００６８】
しかし、下向き鉤爪６５と受け部６６とのうちいずれか一方が折損すると、前部インナー部材２２ａが前方にスライドしてクッションが損傷したり千切れたりする虞がある。
【００６９】
そこで、図１８及び図１９に示すように、前部インナー部材２２ａの後端縁に、中間金具４の後端縁に当接し得るストッパー６７を設けて、前部インナー部材２２ａが前進動してしまう不測の事態を防止している。
【００７０】
【００７１】
(10)．その他
本願発明は上記の他にも様々に具体化できる。例えば、肘掛け装置は、必ずしも肘当てが上下動したり回動したりするものには限らず、固定式のものでも良い。また、肘支柱は合成樹脂製でも良い。
【００７２】
また、カバーを取付け部に取付けることも可能であり、スペーサに取付ける場合は、第１実施形態のような係合爪や水平片等からなるものの他に、カバーをスペーサに対して上向きに重ねることによって係合する爪方式など、様々の係合手段を採用できる。
【図面の簡単な説明】
【図１】実施形態に係る椅子の正面図である。
【図２】椅子の右側面図である。
【図３】縦断右側面図である。
【図４】分離斜視図である。
【図５】腰部アウター部材の破断斜視図である。
【図６】肘掛け装置の斜視図である。
【図７】肘掛け装置の分離図である。
【図８】取付け部の平面図である。
【図９】取付け部の底面図である。
【図10】スペーサの説明図である。
【図11】カバー４９の説明図である。
【図12】肘掛け装置の取り付け状態を示す図である。
【図13】図１２のXIII−XIII視断面図である。
【図14】図１２のＸIV−ＸIV視部断面図である。
【図15】 (A)は図１２のXV−XV視部分断面図、 (B)は (A)の平面図である。
【図16】スペーサの係合溝とカバーの内向きフランジとの関係を示す平面図である。
【図17】座用インナー部材の分離平面図である。
【図18】前部インナー部材のストッパーと中間金具との関係を示す断面図である。
【図19】前部インナー部材の斜視図である。
【符号の簡単な説明】
３  支持ベース
４  上金具
５  揺動フレーム
６  座
７  背もたれ
８  肘掛け装置
１７  羽根部
１７ａ  揺動フレームの羽根部に設けた雌ねじ
２８  腰部アウター部材（背受け部材）
２８ａ  湾曲状段部
４２  腰部アウター部材のボルト挿通穴
４３  肘支柱
４５  肘当て
４６  取付け板
４７  取付け部
４８  スペーサ
４９  カバー
５０  肘支柱における取付け部のボルト挿通穴
５８  ボルト
【図１】
0003967076.tif 000002
【図２】
0003967076.tif 000003
【図３】
0003967076.tif 000004
【図４】
0003967076.tif 000005
【図５】
0003967076.tif 000006
【図６】
0003967076.tif 000007
【図７】
0003967076.tif 000008
【図８】
0003967076.tif 000009
【図９】
0003967076.tif 000010
【図１０】
0003967076.tif 000011
【図１１】
0003967076.tif 000012
【図１２】
0003967076.tif 000013
【図１３】
0003967076.tif 000014
【図１４】
0003967076.tif 000015
【図１５】
0003967076.tif 000016
【図１６】
0003967076.tif 000017
【図１７】
0003967076.tif 000018
【図１８】
0003967076.tif 000019
【図１９】
0003967076.tif 000020